(57)【特許請求の範囲】
【請求項１】
撮影画面中央部、撮影画面中央部に隣接する周辺部、隣接する周辺部の外側の周辺部にそれぞれ設定された測距エリアの距離情報を得る測距手段と、
撮影画面を、前記撮影画面中央部、前記隣接する周辺部、前記外側の周辺部にそれぞれ設定された前記測距エリアに対応する測光エリアを含む複数の測光エリアに分割し、それぞれの測光エリアの測光値を得る測光手段と、
前記測光エリアの測光値をもとに逆光検出を行う逆光検出手段とを有する光学装置において、
前記測距手段により、前記撮影画面中央部の測距エリアにて距離情報を得ることができない場合に、前記隣接する周辺部の測距エリアにて距離情報を得ることができるか否かの判定を行う判定手段を有し、
前記判定手段により、前記撮影画面中央部の測距エリアにて距離情報を得ることができない場合に、前記隣接する周辺部の測距エリアにて距離情報を得ることができると判定されたときには、前記逆光検出手段は、前記撮影画面中央部の測距エリアに対応する測光エリアの測光値に基づいて逆光検出を行うことを特徴とする光学装置。
【請求項２】
前記逆光検出手段は、前記撮影画面中央部の測距エリアに対応する測光エリアの測光値とそれ以外の測光エリアの平均測光値との差分が所定値を越えている場合に、逆光状態であるとすることを特徴とする請求項１に記載の光学装置。
【請求項３】
前記判定手段により、前記隣接する周辺部の測距エリアにて距離情報を得ることができたと判定された場合、該隣接する周辺部の測距エリアにて得られた距離情報のうち最も近距離を示す距離情報を合焦用データとして選択することを特徴とする請求項１に記載の光学装置
【請求項４】
前記測距手段により、前記撮影画面中央部の測距エリアにて距離情報を得ることができない場合であって、前記判定手段により、前記隣接する周辺部の測距エリアにて距離情報を得ることができないと判定された場合で、且つ、前記外側の周辺部の測距エリアにて距離情報を得ることができると判定された場合、前記外側の周辺部の測距エリアの距離情報を合焦用データとして選択することを特徴とする請求項１に記載の光学装置
【請求項５】
請求項１乃至４の何れかに記載の光学装置を具備したことを特徴とするカメラ。
【発明の詳細な説明】
【０００１】
【発明の属する技術分野】
本発明は、画面の複数の測距エリアに対応する範囲の輝度の検出が可能な複数の測光エリアを持つ測光手段を有する光学装置、光学装置を具備したカメラ、及び静止画撮影機能付きのビデオカメラの改良に関するものである。
【０００２】
【従来の技術】
従来、複数の測距点をもつ測距装置を備えるカメラにおいては、測距情報が得られた測距点のうち、最も近距離を示す測距情報が得られた測距点に主被写体が位置しているとみなし、この測距情報に基づいて合焦動作をさせるものが公知である。
【０００３】
さらに上記測距装置に加え、各測距点に対応する測光エリアをもつ測光装置を備えるカメラにおいては、主被写体に関する輝度情報を、合焦に用いる測距点に対応する測光エリアから得るようにする事で、主被写体に重きを置いた評価測光を行えるようにしたものも知られている。
【０００４】
また、特開２０００−１７１８４６号公報においては、合焦に用いられる情報の得られた測距点のセンサを用いて輝度情報を得るような構成とし、そのセンサからの輝度情報と複数の測光エリアをもつ測光センサからの輝度情報に基づいて、主被写体に対する逆光判定を行うようしたものが提案されている。
【０００５】
【発明が解決しようとする課題】
しかしながら、測距装置が一対のイメージセンサからの画像情報をもとに位相差を検出して距離情報を得るパッシブ方式（位相差検出方式）である場合、一般的に主被写体にコントラストがないと測距ができない。たとえば主被写体が人物等である場合、画面内における測距点の位置するところに、額等顔の一部分のみや、衣服等の単一色となるコントラストの無い箇所が存在すると、そこにあたる測距点においては測距ができない事になる。
【０００６】
また、複数の測距点に主被写体がかかるような場合では、その主被写体の中心にあたる測距点からは距離情報が得られず、その隣に位置する測距点によって、その主被写体の脇や輪郭（エッジ）によるコントラストで位相差を検出して測距がなされる場合がある。このような場合、距離情報が得られたエリアとしては主被写体の中心から外れたエリアとなり、その測距エリアに対応する測光エリアの輝度情報を主被写体の輝度情報としてしまうと、誤った輝度情報を用いて制御を行ってしまう事になる。
【０００７】
図６はその一例を示した図であるが、あるカメラによる撮影画面内の複数の測距エリアおよび測光エリアと、主被写体である人物Ｉを同時に表した図である。
【０００８】
図中、Ｆ１０〜Ｆ１４はこのカメラが有する撮影画面内における５点の測距エリアを表したものであり、図中、Ｅ１〜Ｅ１４はこのカメラが有する撮影画面内における１４分割された測光センサの各エリアを表している。なお、Ｅ１０〜Ｅ１４は各測距エリアＦ１０〜Ｆ１４に対応した画面内の測光を行っているものである。
【０００９】
また、図３は撮影画面における測距エリアのみを、図４は撮影画面における測光エリアをそれぞれ表したものである。
【００１０】
図６に示すように、主被写体である人物Ｉが画面中央に位置し、画面中央の測距エリアＦ１２に対しては主被写体の中心部全てが、測距エリアＦ１１，Ｆ１３に対しては主被写体の一部がかかるような場合、測距エリアＦ１２はコントラストのない額等の顔の一部分を測距している為に測距ができず、測距エリアＦ１１，Ｆ１３については主被写体のエッジによって測距ができることになる。
【００１１】
また、この各測距エリアＦ１１，Ｆ１２，Ｆ１３に対応する測光エリアＥ１１，Ｅ１２，Ｅ１３からは、ともに輝度情報が得られている。しかし、画面中央の測光エリアＥ１２については、人物Ｉが測光エリアＦ１２の全てにあたっているため、人物Ｉについての正確な輝度情報は得られているが、測光エリアＥ１１およびＥ１３については人物Ｉの半分しかかかっておらず、そのため人物Ｉの正確な輝度情報についてはこのエリアからは得られていない。
【００１２】
撮影画面上での測距エリアと測光エリアの関係が上記のようになる場合、特開２０００−１７１８４６号公報のように、距離情報が得られた測距エリアに対応する測光エリアからの情報を基に逆光検出してしまうと、主被写体の中心から外れた測光エリアをもとに逆光検出してしまう事になり、しかもその一つの測光エリアの一部分にしか主被写体がかかっていないため、主被写体に対する正確な逆光検出は行えずにいた。
【００１３】
（発明の目的）
本発明の目的は、測距結果が得られていない測距エリアに主被写体が存在するような場合でも、主被写体を含むシーンに対して好適な逆光検出を行うことのできる光学装置、カメラ及び静止画撮影機能付きビデオカメラを提供しようとするものである。
【００１４】
【課題を解決するための手段】
上記目的を達成するために、本発明は、撮影画面中央部、撮影画面中央部に隣接する周辺部、隣接する周辺部の外側の周辺部にそれぞれ設定された測距エリアの距離情報を得る測距手段と、撮影画面を、前記撮影画面中央部、前記隣接する周辺部、前記外側の周辺部にそれぞれ設定された前記測距エリアに対応する測光エリアを含む複数の測光エリアに分割し、それぞれの測光エリアの測光値を得る測光手段と、前記測光エリアの測光値をもとに逆光検出を行う逆光検出手段とを有する光学装置において、前記測距手段により、前記撮影画面中央部の測距エリアにて距離情報を得ることができない場合に、前記隣接する周辺部の測距エリアにて距離情報を得ることができるか否かの判定を行う判定手段を有し、前記判定手段により、前記撮影画面中央部の測距エリアにて距離情報を得ることができない場合に、前記隣接する周辺部の測距エリアにて距離情報を得ることができると判定されたときには、前記逆光検出手段が、前記撮影画面中央部の測距エリアに対応する測光エリアの測光値に基づいて逆光検出を行う光学装置とするものである。
【００１７】
同じく上記目的を達成するために、本発明は、本発明の上記光学装置を具備したカメラとするものである。
【００１８】
【発明の実施の形態】
以下、本発明を図示の実施の形態に基づいて詳細に説明する。
【００１９】
図１は本発明の実施の一形態に係るカメラの主要部分の回路構成を示すブロック図である。
【００２０】
図１において、１はカメラの各種動作を制御する制御手段であるところのマイコンであり、不図示のＣＰＵ（中央処理装置），ＲＯＭ，ＲＡＭ，Ａ／Ｄ回路等を内蔵し、後述する測距部２や測光部３等からの出力をＡ／Ｄ変換し、測距、測光情報を得るための各演算や他の周辺回路の各制御も行っている。
【００２１】
２は一対の受光レンズ１３，１４および複数のエリアを有する一対のセンサアレイ１５，１６等からなる測距部（焦点検出部であっても良いが、測距部を代表例としている）であり、受光レンズ１３によりセンサアレイ１５上に、また受光レンズ１４によりセンサアレイ１６上にそれぞれ被写体からの光束が導かれ、被写体像の光強度分布に応じて光電変換が行われた後、信号蓄積および信号増幅回路１７により増幅された信号が被写体像信号として出力される。３は不図示の複数のエリアを有するセンサを用いて輝度情報を得る測光部であり、測距エリアに対応する測光エリアを有するものである。
【００２２】
４はシャッター開閉の制御を行うシャッター制御部、５は撮影準備動作及び撮影動作を開始させるための不図示のレリーズスイッチの第１ストロークでＯＮするスイッチＳＷ１及び第２ストロークでＯＮするレリーズスイッチＳＷ２や各撮影モード等を設定するためのスイッチを含むＳＷ入力部である。６は電源電圧を所定電圧に変換し、各回路に電源供給するＤＣ／ＤＣ部である。７はストロボ部であり、不図示のメインコンデンサへと充電を行い、発光を行う公知の回路からなる。８はマイコン1 へクロックを供給するための発振部である。９は電池残量表示や各種の撮影情報の表示、警告等を行う液晶等からなる表示部である。１０は不図示のフィルムの巻き上げ、巻き戻し等を行うための給送モータおよび鏡筒駆動用モータの制御を行うモータ制御部である。
【００２３】
次に、上記構成のカメラにおける撮影動作中のマイコン１の動作について、図２のフローチャートにより説明を行う。
【００２４】
まず、ステップＳ１０１にて、マイコン１はＳＷ入力部５に含まれるスイッチＳＷ１の状態の検出を行う。この結果、該スイッチＳＷ１がＯＮしていれば撮影準備動作を開始させるためにステップＳ１０２へ進み、測距部２と測光部３に測距および測光動作を行わせる。また、上記ステップＳ１０１にてスイッチＳＷ１がＯＦＦの場合はステップＳ１０１を繰り返す。なお、上記測距および測光動作については後述にて説明を行うので、ここでは詳細な説明は省略する。次のステップＳ１０３では、ストロボ発光させるためのエネルギーを蓄えるメインコンデンサへの充電をストロボ部７に開始させる。
【００２５】
次のステップＳ１０４，Ｓ１０５では、上記スイッチＳＷ１とレリーズスイッチＳＷ２の状態を検出し、共にＯＮしていればステップＳ１０６へと進み、撮影動作を開始する。また、上記スイッチＳＷ１，ＳＷ２の少なくとも一方がＯＦＦの場合はステップＳ１０１へ戻る。
【００２６】
ステップＳ１０６へ進むと、上記ステップＳ１０２にて得られた距離情報をもとに不図示の撮影レンズのフォーカシングをモータ制御部１０にて不図示の鏡筒モータを制御することで行い、焦点を被写体に合わせる。次のステップＳ１０７では、フィルムへ露光を行うため、シャッター通電制御を行うシャッター制御部４を動作させてシャッター開放を行う。またこの時、シャッター開放時間の計時をさせるために不図示のタイマ回路にて所定時間の計時を開始させる。この際のシャッター開放時間の設定は、上記ステップＳ１０２にて得られた逆光情報を含む露出情報やストロボ発光情報等をもとに行われている。
【００２７】
続くステップＳ１０８では、上記ステップＳ１０２で得られた測光情報および逆光情報等に基づいたストロボ発光情報を参照して、発光条件となっていたならばストロボ部７にストロボ発光をさせる。そして、次のステップＳ１０９にて、不図示のタイマ回路にて所定時間の計時が行われた後にシャッター閉じ動作をシャッター制御部４に行わせる。最後にステップＳ１１０にて、フィルムの巻上げを行うため、不図示の給送モータへモータ制御部９を介して通電を開始させて給送動作を行う。給送動作後はステップＳ１０１へ戻り、スイッチＳＷ１がＯＮされるまで待機する。
【００２８】
次に、上記構成のカメラにおける測距および測光動作について、図３，図４，図５を用いて、図７に示すフローチャートにより説明する。
【００２９】
なお、図３は、図１における測距部２で測距可能なカメラの撮影画面内の測距エリアを表したものであり、図中、Ｆ１０〜Ｆ１４は５点の測距エリアを表している。また、図４は、図１における測光部３で測光可能なカメラの撮影画面内の測光エリアを表したものであり、図中、Ｅ１〜Ｅ１４はそれぞれ測光センサで１４分割されている。前記Ｅ１０〜Ｅ１４の測光エリアについては、図３の測距エリアＦ１０〜Ｆ１４にそれぞれ対応したエリア内の測光を行っている。
【００３０】
図５は、上記図３と図４を重ね合わせて、カメラの撮影画面内の測距エリアと測光エリアを同時に表したものである。
【００３１】
本実施の形態における測距方式としては、周知の外光パッシブ方式をとっており、図１におけるマイコン１により、図１の測距部２において出力された一対の画像情報から位相差検出をすることで距離情報を得、ピント合わせの為の合焦用データを得る。またこの位相差検出を、各測距エリアＦ１０〜Ｆ１４毎に行うことで、各エリア毎の距離情報を得ることになる。
【００３２】
図７は、図１，図３，図４，図５で説明した構成におけるカメラの、測距および測光動作を示すフローチャートである。
【００３３】
なお、本実施の形態における測距エリアは５点（Ｆ１０〜Ｆ１４）であり、Ｆ１２は撮影画面中央部、Ｆ１１，Ｆ１３は中央部に隣接する周辺部、Ｆ１０、Ｆ１４は更にその外側の周辺部をそれぞれ測距できるように配置されている。
【００３４】
また、それぞれの測距エリアの役割としては、Ｆ１２は撮影画面の中央部を測距するためもので、Ｆ１０，Ｆ１４が撮影画面の周辺部を測距するためのものである。Ｆ１１，Ｆ１３については、中央部Ｆ１２が何かしらの理由で測距が不可能である場合に、画面中央部のエリアとして用いるものであって、ここで得られた測距結果は撮影画面中央部の結果と同等に取り扱われるものである。
【００３５】
図７において、まずステップＳ２０１にて、Ｆ１０〜Ｆ１４のすべてのエリアについて信号蓄積および信号増幅回路１７にて蓄積制御を行う。そして、その蓄積が終了するとステップＳ２０２へ進み、中央部のＦ１２と最周辺部（端部）に位置するＦ１０およびＦ１４からの信号を順次信号蓄積および信号増幅回路１７にて増幅させると共にその出力を取り込み、マイコン１内にてＡ／Ｄ変換する。
【００３６】
次のステップＳ２０３では、上記ステップＳ２０２にてＡ／Ｄ変換された信号をもとに各測距エリア毎に公知の位相差検出をするための演算を行い、Ｆ１０，Ｆ１２，Ｆ１４に対応する測距エリアでの距離情報を得る。ここで、位相差検出ができず測距できなかった場合としては、エリアからの像信号が低コントラストである場合や、一対の像信号に差異があるために信頼性が無いと判定された場合等が考えられる。なお、位相差を検出できず、距離情報が得られないエリアについては、そのエリアの距離情報として、予め決められた所定の距離として無限遠が設定される。
【００３７】
次のステップＳ２０４では、各測距エリアＦ１０，Ｆ１２，Ｆ１４の何れかもしくは全てで測距ができているか否かの判定を行う。この結果、測距エリアＦ１０，Ｆ１２，Ｆ１４の何れにおいても測距ができなかった（ＮＧ）場合はステップＳ２１１へ進み、後述のように中央部のエリアとして、Ｆ１１，Ｆ１３による測距動作を開始させる。そうでなければ、何れかのエリアで測距ができているのでステップＳ２０４からステップＳ２０５へ進む。
【００３８】
ステップＳ２０５へ進むと、中央部に位置する測距エリアＦ１２で測距ができているか否かの判定を行う。この結果、測距エリアＦ１２で測距ができていることを判定すると、撮影画面中央部に対する測距はできているのでそのまま中央部の測距情報として測距エリアＦ１２の情報を用いる事としてステップＳ２０６へ進む。また、測距エリアＦ１２で測距ができていない場合は後述のステップＳ２１８へ進む。
【００３９】
ステップＳ２０６へ進むと、撮影画面周辺部（端部）の測距エリアであるＦ１０，Ｆ１４および中央部の測距エリアＦ１２の測距情報のうち、最も近距離を示す測距エリアを選択し、該測距エリアからの距離情報を主被写体の距離情報として、つまり合焦用データとして選択する。そして、次のステップＳ２０７にて、上記ステップＳ２０６で選択された測距エリアに対応する測光エリアの選択を行い、主被写体に対する逆光検出用のエリアとして輝度情報を得られるように設定を行い、ステップＳ２０８へ進む。ここでは選択された測距エリアがＦ１２である時は測光エリアとしてＥ１２を、Ｆ１０である時は測光エリアとしてＥ１０を、Ｆ１４である時は測光エリアとしてＥ１４を、それぞれ逆光検出用のエリアとして選択することになる。
【００４０】
次のステップＳ２０８では、測光動作を行う。１４分割された複数の測光エリア（Ｅ１〜Ｅ１４）毎に測光値の算出を行うとともに、上記ステップＳ２０７や、後述するステップＳ２１５，Ｓ２１７，Ｓ２２２，Ｓ２２４の何れかで逆光検出用として選択された測光エリアの測光値（輝度情報）をＳＰＯＴとして求め、またその逆光検出用の測光エリアを除いた測光エリアの平均測光値をＡＥａｖｅとして算出する。
【００４１】
続くステップＳ２０９では、上記ステップＳ２０８で算出された平均測光値ＡＥａｖｅと逆光検出用測光エリアとして選択された主被写体が位置すると思われるエリアの測光値ＳＰＯＴとの比較を行い、その差が所定値（本実施の形態においては２ＥＶを所定輝度値としている）を超えているなら逆光状態であるとみなし、ステップＳ２１０へ進む。また、所定値以下であれば逆光状態ではないと判定して、そのまま測距及び測光動作を終了する。
【００４２】
また、逆光状態であるとしてステップＳ２０９からステップＳ２１０へ進むと、ここでは逆光時に露出補正を行わせるためのフラグ等の設定を行い、各撮影モードや被写体距離に応じて、ストロボ発光や露出のプラス補正等を行わせるように設定し、測距及び測光動作を終了する。
【００４３】
また、上記ステップＳ２０４にて、中央部の測距エリアＦ１２、周辺部（端部）の測距エリアＦ１０，Ｆ１４の測距結果が全て測距ＮＧであったことを判定すると前述したようにステップＳ２１１へ進み、ここでは画面中央部の測距エリアとして、通常用いられるＦ１２の代わりに該Ｆ１２を挟んで両側に隣接して配置されるＦ１１，Ｆ１３を用い、中央部の測距を開始させる。ここでは上記ステップＳ２０１にて蓄積した測距エリアのうち、Ｆ１１およびＦ１３からの信号を順次信号蓄積および信号増幅回路７にて増幅させると共にその出力を取り込み、マイコン１内にてＡ／Ｄ変換し、ステップＳ２１２へ進む。
【００４４】
ステップＳ２１２へ進むと、Ａ／Ｄ変換された信号を、測距エリア毎に公知の位相差検出をすることでＦ１１，Ｆ１３に対応する測距エリアの距離情報を得る。そして、次のステップＳ２１３にて、測距エリアＦ１１，Ｆ１３の何れかにおいても位相差検出を行うことができなかった（ＮＧ）か否かの判定を行い、双方とも検出できていなければ全く測距できなかったものとしてステップＳ２１６へ進み、一方、測距エリアＦ１１，Ｆ１３の一方または両方にて位相差検出を行うことができた場合はステップＳ２１４へ進む。
【００４５】
ステップＳ２１６へ進むと、全測距エリアがＮＧであるので、合焦用データとして無限遠を設定し、次のステップＳ２１７にて、測距エリアに対応する測光エリアの中から最も低い値を示すエリアを逆光検出用として選択して、前述のステップＳ２０８以降の処理へと進む。なお、本実施の形態においては、最も低い値を示すエリアを逆光検出用のエリアとして選択を行っているが、これに限られるものではなく、測距エリアのうちで信頼性のデータが最も高い値を示す測距エリアに対応する測光エリアを選択してもよいし、所定アルゴリズムによって選択するようにしてもよい。
【００４６】
また、上記ステップＳ２１３からステップＳ２１４へ進むと、ここではＦ１１とＦ１３のうち、近距離を示す方の測距エリアを選択し、該測距エリアからの測距情報を合焦用データとして選択し、次のステップＳ２１５にて、逆光検出用の測光エリアとして、この場合は画面中央部に位置する測光エリアＥ１２を設定して、前述のステップＳ２０８以降の処理へと進む。
【００４７】
なお、上記ステップＳ２１５にて、画面中央部に位置する測光エリアＥ１２を設定したのは、このステップＳ２１５へ進むのは中央部の測距が測距エリアＦ１１，Ｆ１３の双方または一方によって出来ている場合であり、中央部に位置する測距エリアとしてＦ１１，Ｆ１３が測距可能であることからも、図６のような被写体が想定され、中央部には被写体が存在する可能性があることから測光エリアとして、これらＦ１１，Ｆ１３の間の中央部のＥ１２の選択を行うようにしたものである。
【００４８】
また、上記ステップＳ２０５にて中央部の測距エリアＦ１２が測距ＮＧであった場合は前述したようにステップＳ２１８へ進み、ここでは上記ステップＳ２１１と同様に、測距エリアＦ１１，Ｆ１３の信号増幅とその出力の取り込みおよびＡ／Ｄ変換を行う。次のステップＳ２１９では、上記ステップＳ２１２と同様に位相差検出を行い、各測距エリアでの距離情報を得る。そして、次のステップＳ２２０にて、Ｆ１１，Ｆ１３の各測距エリアで位相差を検出できなかったか否かの判定を行う。ここで、何れからも位相差が検出されていなければ中央部の測距エリアは全て測距ＮＧとなることから、合焦用データを周辺部（端部）の測距エリアＦ１０またはＦ１４から選択するステップＳ２２３へ進んで、近距離を示す測距エリアを選択し、該測距エリアからの距離情報を合焦データとして選択し、次のステップＳ２２４にて、その選択されたエリアに対応する測光エリアを、逆光検出用の測光エリアとし、前述のステップＳ２０８以降への処理へと進む。
【００４９】
一方、上記ステップＳ２２０にて測距エリアＦ１１またはＦ１３の一方または両方で位相差検出ができていればステップＳ２２１へ進み、ここでは合焦データの選択を行うが、Ｆ１２は既に測距ＮＧであることが判っている事から、該Ｆ１２以外で測距可能となっている測距エリアのうち、近距離を示す測距エリアを選択し、該測距エリアからの距離情報を合焦データとして選択する。ここで選択される可能性がある測距エリアとしては、Ｆ１０，Ｆ１１，Ｆ１３，Ｆ１４となる。そして、次のステップＳ２２２にて、上記ステップＳ２２１にて選択された測距エリアから、逆光検出に用いる測光エリアの選択を行うが、その選択された測距エリアがＦ１０であれば測光エリアとしてはＥ１０を、Ｆ１４であれば測光エリアとしてはＥ１４を、又選択された測距エリアがＦ１１またはＦ１３である場合は、図６のような被写体が想定されることから、測光エリアとしてＥ１２を、それぞれ逆光検出用の測光エリアとして選択する。
【００５０】
なお、本実施の形態においては、逆光検出について、逆光検出用測光エリアとして選択されたエリアの測光値と平均測光値を用いることで行っているが、平均測光値を用いることに限ることでは無論無く、周辺に位置する所定の測光エリアと比較しても良いし、測距エリアには対応していない測光エリアでの平均測光値と比較し、所定輝度差である場合に逆光状態であると判定させようにしてもよいことは言うまでもない。
【００５１】
以上の実施の形態によれば、中央部の測距エリアＦ１２で測距結果が得られない場合には、隣接する測距エリアＦ１１，Ｆ１３（測距エリアＦ１２が測距ＮＧの場合に中央部の測距エリアとして用いるべく配置された測距エリア）の測距を行って少なくとも一方より中央部としての測距結果が得れるか否かを判定し、隣接する測距エリアの少なくとも一方で測距ができていたならば、逆光検出に用いる測光エリアを、測距結果が得られなかったが、主被写体が位置することが想定される撮影画面の中央の測距エリアＦ１２に対応する測光エリアＥ１２とする事（図７のステップＳ２０４→Ｓ２０５→Ｓ２１８→Ｓ２１９→Ｓ２２０→Ｓ２２１→Ｓ２２２、又は、ステップＳ２０４→Ｓ２１１→Ｓ２１２→Ｓ２１３→Ｓ２１４→Ｓ２１５）で、主被写体に対する逆光検出の検出精度を上げることが可能となる。
【００５２】
よって、例えば図６に示す撮影画面時であっても、正確な逆光検出が可能となる。
【００５３】
また、合焦用データを得る為の測距エリアとしては、複数の測距エリアのうちの測距情報を得ることができた測距エリアからの該測距情報をもとに選択（上記実施の形態では、最も近距離の情報を出力する測距エリア）し、該測距エリアからの測距情報を合焦用データとして用いて焦点調節を行うようにしているので、主被写体に適した焦点調節を行うことが可能となる。
【００５４】
なお、上記実施の形態では、カメラに適用した例を述べているが、これに限定されるものではなく、測距及び測光機能を有する光学装置であれば、同様に適用できるものである。更に、正確な逆光検出を行うことのみを目的にすれば、測光機能のみを有する装置にも適用可能である。
【００５５】
【発明の効果】
以上説明したように、本発明によれば、測距結果が得られていない測距エリアに主被写体が存在するような場合でも、主被写体を含むシーンに対して好適な逆光検出を行うことができる。
【図面の簡単な説明】
【図１】本発明の実施の一形態に係るカメラの主要部分の回路構成を示したブロック図である。
【図２】本発明の実施の一形態に係るカメラの撮影動作を示すフローチャートである。
【図３】本発明の実施の一形態に係るカメラ及び従来のカメラの撮影画面内の測距エリアを示す図である。
【図４】本発明の実施の一形態に係るカメラ及び従来のカメラの撮影画面内の測光エリアを示す図である。
【図５】図３と図４に示す撮影画面内における測距および測光エリアを示す図である。
【図６】本発明の実施の一形態に係るカメラ及び従来のカメラの撮影画面内における被写体と測距および測光エリアの関連の一例を示す図である。
【図７】本発明の実施の一形態に係るカメラの測距及び測光動作を示すフローチャートである。
【符号の説明】
１    マイコン
２    測距部
３    測光部
４    シャッター制御部
５    ＳＷ部
６    ＤＣ／ＤＣ部
７    ストロボ部
８    発振部
９    表示部
１０  モータ制御部
１３，１４  受光レンズ
１５，１６  センサアレイ
１７        信号蓄積および信号増幅回路
【図１】
0004328491.tif 000002
【図２】
0004328491.tif 000003
【図３】
0004328491.tif 000004
【図４】
0004328491.tif 000005
【図５】
0004328491.tif 000006
【図６】
0004328491.tif 000007
【図７】
0004328491.tif 000008